(57)【要約】      （修正有）【課題】組立中に細長いレンズが破損する恐れの無い電子装置を提供する。【解決手段】電子装置は、ファンモジュール１０と細長いレンズ３０を含む。ファイモジュールは、ケース１２と、複数の孔を有するカバーとを含む。細長いレンズは、カバーが有する複数の孔の１つを通して伸びるヘッド部３８を含む。ヘッド部は第１寸法と第２寸法を有する。孔も第１寸法と第２寸法を有する。ヘッド部の第１寸法は孔の第１寸法より小さく、且つ孔の第２寸法より大きい。ヘッド部の第１寸法と孔の第１寸法を位置合わせする場合、ヘッド部が孔を通ることができ、ヘッド部の第１寸法と孔の第２寸法を位置合わせする場合、ヘッド部が孔を通ることを防ぐ。【選択図】図５Ｄ
2020052387.tif 000002
【特許請求の範囲】
【請求項１】
ケースと、複数の孔を有するカバーとを含み、前記カバーが前記ケースの一端に結合されるファンモジュールと、
本体部とヘッド部を有する細長いレンズと、を含み、
前記孔の第１孔と前記ヘッド部の寸法は、前記カバーが前記ヘッド部に対して第１方向に位置する場合、前記ヘッド部が前記孔の前記第１孔を通れるが、前記カバーが前記ヘッド部に対して第２方向に位置する場合、前記ヘッド部が前記孔の前記第１孔を通れないように設計される電子装置。
【請求項２】
前記ヘッド部は、第１長円形を有し、第１寸法と第２寸法を有する請求項１に記載の電子装置。
【請求項３】
前記孔の前記第１孔は、第２長円形を有し、第１寸法と第２寸法を有する請求項２に記載の電子装置。
【請求項４】
前記第１長円形の前記第１寸法は、前記第２長円形の前記第１寸法より小さい、且つ前記第２長円形の前記第２寸法より大きい、並びに前記第１長円形の前記第２寸法は、前記第２長円形の前記第２寸法より小さい請求項３に記載の電子装置。
【請求項５】
前記カバーが前記ヘッド部に対して前記第１方向に位置する場合、前記ヘッド部の前記第１寸法と前記孔の前記第１孔の前記第１寸法が位置合わせになる請求項３又は請求項４に記載の電子装置。
【請求項６】
前記カバーが前記ヘッド部に対して前記第２方向に位置する場合、前記ヘッド部の前記第１寸法と前記孔の前記第１孔の前記第２寸法が位置合わせになる請求項５に記載の電子装置。
【請求項７】
前記細長いレンズの少なくとも一部が前記ファンモジュールの前記ケースに結合され、且つ、前記カバーが前記第１方向に位置する場合、前記細長いレンズの前記ヘッド部が前記ファンモジュールの前記ケースから前記カバーを通して伸びることができる請求項１〜請求項６の何れか１項に記載の電子装置。
【請求項８】
前記ケースにおける少なくとも１つのケース締付部材用孔及びそれと対応する前記カバーにおける少なくとも１つのカバー締付部材用孔を通して伸びるように配置される少なくとも１つの締付部材と、を更に含み、
前記ケース締付部材用孔が前記ファンモジュールの前記ケースで定義され、前記カバー締付部材用孔が前記カバーで定義され、前記締付部材は、前記カバーを前記第２方向にロックするように配置される請求項７に記載の電子装置。
【請求項９】
前記細長いレンズは、前記本体部と前記ヘッド部の間にネック部を有し、前記本体部は第１直径を有し、前記ネック部は前記第１直径より小さい第２直径を有する請求項１〜請求項８の何れか１項に記載の電子装置。
【請求項１０】
前記カバーは突起を有する請求項１〜請求項９の何れか１項に記載の電子装置。
【発明の詳細な説明】
【技術分野】
【０００１】
本開示内容は、主に光を集めるレンズ用のファンモジュールを有する電子装置に関し、特に、ファンモジュールに固定されるレンズに関する。
【背景技術】
【０００２】
電子装置やコンピュータシステム内に使用される部材は、操作期間に大量の熱を発生する。このような装置やシステムにおいて、ファンモジュールは気流を生じて発生した熱を排出することに寄与する。一部の配置には、技術員にファンモジュールの状態を伝えるように発光部材をこのような装置やシステムに含ませる。しかしながら、空間が限られるので、ファンモジュールを発光部材と技術員が見える装置やシステムとの間の領域に設置する必要がある場合がある。この場合、細長いレンズを使って、射出される光を見えやすい位置に転送できる。具体的には、細長いレンズをファンモジュール内に整合することができる。しかしながら、従来の方法で細長いレンズをファンモジュール内に整合することは、細長いレンズを破損させて機能を損なうリスクが高い。例えば、一般的に、ねじ式レンズキャップ（ｓｃｒｅｗ−ｏｎ  ｌｅｎｓ  ｃａｐｓ）を使って、細長いレンズをファンモジュール内に固定する。このようなレンズキャップは、転送光の強度を減らすだけではなく、組立期間に細長いレンズが破損する恐れがある。本開示内容はこれらと他の問題を解決することに関する。
【発明の概要】
【０００３】
本開示内容の一態様によって、整合される細長いレンズを有するファンモジュールを提供する。ファンモジュールは、ケースとカバーを含み、ファンをケース内に設置でき、カバーがケースの開口の一部を覆う。細長いレンズは発光装置から射出する光をガイドして集めることに用いられる。細長いレンズはファンモジュールのケースにおけるレンズ装着孔を通して差し込むことができる。
【０００４】
カバーには、複数の孔を有するメッシュが形成され、且つファンモジュールの発光装置に対向する一端側に位置する。細長いレンズはカバーの複数の孔の一つを通して伸びるように配置される。細長いレンズのヘッド部と、カバーの複数の孔の少なくとも一つの孔は、このヘッド部が選択的にこの孔を通るように寸法を設計する。カバーがヘッド部に対して第１方向に位置する場合、ヘッド部が孔を通ることができる。カバーがヘッド部に対して第２方向に位置する場合、ヘッド部が孔を通ることを防ぐ。
【０００５】
細長いレンズのヘッド部は長円形を有し、第１寸法と第２寸法を有する。ヘッド部が通るカバー部における孔は対応する長円形を有し、第１寸法と第２寸法を有する。大体的には、ヘッド部の第１寸法は孔の第１寸法より小さく、孔の第２寸法より大きい。ヘッド部の第２寸法は孔の第１寸法と第２寸法より小さい。
【０００６】
カバーがヘッド部に対して第１方向に位置する場合、ヘッド部の第１寸法と孔の第１寸法が位置合わせになる。ヘッド部の第１寸法は孔の第１寸法より小さいので、ヘッド部が孔を通ることができる。そして、カバーが約９０゜回動して、第２方向に位置するようになる。第２方向に位置する場合、ヘッド部の第１寸法と孔の第２寸法が位置合わせになる。ヘッド部の第１寸法は孔の第２寸法より大きいので、ヘッド部は孔を通して戻ることができない。カバーが細長いレンズのヘッド部に対して第１方向から第２方向に回動することによって、ヘッド部をカバーに固定して、適切な位置に設置してロックする。
【０００７】
上記概要は、本開示内容の各実施方法又は各態様を一つごとに表すためのものではない。具体的には、前記概要は、本文に記載される幾つかの新規な点や特徴的な実施例のみを提供する。添付図面及び添付の請求項に合わせて本発明の代表的な実施方法及びモードを詳しく説明する場合、本開示の上記の特徴及びメリット、及びその他の特徴及びメリットは、明確になる。
【図面の簡単な説明】
【０００８】
下記例示した実施方法の記載と添付図面を組み合わせることで、本開示内容がより容易に理解される。
【図１Ａ】本開示内容の一態様によるファンモジュールの斜視図である。
【図１Ｂ】本開示内容の一態様による図１Ａのファンモジュールと共に使用される細長いレンズの斜視図である。
【図２Ａ】本開示内容の一態様による図１Ｂの細長いレンズの断面図である。
【図２Ｂ】本開示内容の一態様による図１Ｂの細長いレンズのヘッド部の端部の正面図である。
【図３Ａ】本開示内容の一態様による図１Ａのファンモジュールのカバーにおける孔の端部の正面図である。
【図３Ｂ】本開示内容の一態様による図３Ａの孔が図１Ｂの細長いレンズのヘッド部に対して第１方向に位置する端部の正面図である。
【図３Ｃ】本開示内容の一態様による図３Ａの孔が図１Ｂの細長いレンズのヘッド部に対して第２方向に位置する端部の正面図である。
【図４Ａ】本開示内容の一態様による図１Ａのファンモジュールの第１端の斜視図であり、図１Ｂの細長いレンズの挿入の初期形態を示す。
【図４Ｂ】本開示内容の一態様による図１Ａのファンモジュールの第１端の斜視図であり、カバーが図１Ｂの細長いレンズのヘッド部に対して第１方向に位置する。
【図４Ｃ】本開示内容の一態様による図１Ａのファンモジュールの第１端の斜視図であり、カバーが図１Ｂの細長いレンズのヘッド部に対して第２方向に位置する。
【図５Ａ】本開示内容の一態様による図１Ａのファンモジュールの第２端の斜視図であり、図１Ｂの細長いレンズの挿入の初期形態を示す。
【図５Ｂ】本開示内容の一態様による図１Ａのファンモジュールの第２端の斜視図であり、図１Ｂの細長いレンズの更なる挿入を示す。
【図５Ｃ】本開示内容の一態様による図１Ｂの細長いレンズが図１Ａのファンモジュールに挿入されることを拡大した斜視図である。
【図５Ｄ】本開示内容の一態様による図１Ａのファンモジュールの第２端の斜視図であり、ファンコネクター、及びファンモジュールに接続されるケーブルカバーを示す。
【図６Ａ】本開示内容の一態様による図１Ａのファンモジュールと図１Ｂの細長いレンズを組み立てるための組立治具の平面図である。
【図６Ｂ】本開示内容の一態様による図６Ａの組立治具の斜視図である。
【図６Ｃ】本開示内容の一態様による図６Ａの組立治具の一部を透明に示す斜視図である。
【図７Ａ】本開示内容の一態様による図１Ａのファンモジュールのカバーの斜視図であり、カバーが第１方向で図６Ａの組立治具に置かれる。
【図７Ｂ】本開示内容の一態様による図１Ａのファンモジュールのケースの斜視図であり、ケースが図６Ａの組立治具に置かれる。
【図７Ｃ】本開示内容の一態様による図１Ａのファンモジュールのカバーが第１方向から第２方向に回動する斜視図である。
【図７Ｄ】本開示内容の一態様による図１Ａのファンモジュールのカバーが第２方向に位置決められる斜視図である。  本開示内容は、各種の修正及び代替形態を許可し、且つ既に添付図面における実施例によって、幾つかの代表的な実施例を示し、且つここで詳しく記述する。しかしながら、理解すべきなのは、本発明は開示された特定形態に限定される意図はない。具体的には、本開示は、全ての添付の請求項により定義される本発明の精神や範囲内の全ての修正、等価物及び代替物を含むことを図る。
【発明を実施するための形態】
【０００９】
本発明は、数多くの異なる形態で表される。添付図面には代表的な実施方法を示し、ここで詳しく記述する。それは、本開示が本開示の原理や範例又は説明として理解され、且つ本開示内容の広範な方面を実施例の図面に制限する意図ではない。この場合、例えば、要約、発明の内容及び詳しい記述部分に要素及び制限が開示されるが、請求項に明確に述べられていなければ、示唆、推論又は他の形態で単独又は統合的に請求項に合併するべきではない。特に言明しない限り、詳しく記述するために、単数は複数を含むが、逆の場合にも同様である。「含む」とは、「含むが、それに限定されない」である。また、本文では、「約」、「ほとんど」、「実質的に」、「近似」等の類似な語彙を使用してよく、「〜にあり、接近又は〜に接近する」又は「３〜５％以内」又は「許可可能な製造容差内にある」、又は如何なる論理組み合わせを表すことに用いられることができる。
【００１０】
上記のように、細長いレンズをファンモジュールに整合することに難点がある。本開示内容は、整合される細長いレンズを有するファンモジュールの新しい設計を提供して、従来の設計の制限性を解決する。特に、ファンモジュールと細長いレンズを、細長いレンズのヘッド部がファンモジュールのカバーにおける孔を選択的に通れるように配置する。カバーにおける孔は長円形を有し、第１寸法と第２寸法を有する。類似的に、細長いレンズのヘッド部も長円形を有し、第１寸法と第２寸法を有する。ヘッド部の第１寸法は孔の第１寸法より小さく、孔の第２寸法より大きい。ファンモジュールの組み立てる過程には、カバーを細長いレンズのヘッド部に対して回動することができる。この動作は細長いレンズのヘッド部をファンモジュール内の位置にロックする。このような方法によって細長いレンズをファンモジュール内に固定するので、レンズカバーを必要としない。従って、破損するリスクを減らして、光の転送を改善する。
【００１１】
図１Ａは、本開示内容のファンモジュール１０の実施を示す。図１Ｂは、図１Ａのファンモジュール１０と共に使用される細長いレンズ３０の実施を示す。図１Ａに示すように、ファンモジュール１０はケース１２を含み、ファン（図示せず）をケース１２内に置ける。ケース１２は第１端１４Ａと第２端１４Ｂを含む。ケース１２の第１端１４Ａは発光部材（図示せず）の隣に位置する。このような発光部材は、コネクター（図示せず）又はコネクターボード（図示せず）に整合されることができ、ファンモジュール１０に電力を提供し、且つ選択的に制御信号を提供する。
【００１２】
取り外し可能なカバー１６は、ケース１２の第２端１４Ｂに結合して、使用期間でファンを保護する。図１Ａの例示的配置において、カバー１６には、大体的に、複数の孔１８を含むメッシュが形成される。しかしながら、本開示内容は、複数の孔１８の他のいかなる配列を使用することを思い至る。孔１８によって空気がケースを流れて通過することが可能になる。ケース１２も１つ又は複数のレンズ装着孔２０Ａ又は２０Ｂを含む。レンズ装着孔２０Ａと２０Ｂの寸法を、細長いレンズ３０を収納し且つ細長いレンズ３０をケース１２内に保持できるように設計する。細長いレンズ３０をケース１２に整合する場合、細長いレンズ３０の少なくとも一部をレンズ装着孔２０Ａと２０Ｂの中に設置する。
【００１３】
図１Ｂには、細長いレンズ３０は大体的に、本体部３２と、過渡領域３４と、ネック部３６と、ヘッド部３８とを含む。過渡領域３４は、本体部３２とネック部３６の間に存在する。ネック部３６は、過渡領域３４とヘッド部３８の間に存在する。これらの部分の各部分の寸法を、これらの部分がレンズ装着孔２０Ａと２０Ｂを通れるように適切に設計する。細長いレンズ３０をファンモジュール１０に整合すると、少なくともヘッド部３８を第２端１４Ｂを通して伸びるように配置させる。そして、ヘッド部３８は、カバー１６における孔１８の１つを通れる。これによって、細長いレンズ３０は射出される光を第１端１４Ａから第２端１４Ｂに転送する。
【００１４】
細長いレンズ３０は、回り止め部３１を有してもよい。回り止め部３１は、細長いレンズ３０がケース１２に整合されると、細長いレンズ３０がケース１２に対して回動することを防ぐように配置される。一部の実施において、回り止め部３１は、径方向に伸びる突起３３を含む。細長いレンズ３０がケース１２に整合されると、回り止め部３１の径方向に伸びる突起３３は、ケース１２に定義される溝や孔内に位置する。よって、細長いレンズ３０の回動が防がれる。
【００１５】
図２Ａと図２Ｂは、細長いレンズ３０の構造の細部を示す。本体部３２とネック部３６は、ほぼ円形である。本体部３２の直径は、大体的に、ネック部３６の直径より大きい。過渡領域３４の直径は、本体部３２とネック部３６の直径の間に、本体部３２からネック部３６に向かって減らす。
【００１６】
過渡領域３４の第１端３５Ａは、本体部３２に隣接する。第１端３５Ａでは、過渡領域３４の直径が本体部３２の直径にほぼ等しい。過渡領域３４の第２端３５Ｂは、ネック部３６に隣接する。第２端３５Ｂでは、過渡領域３４の直径がネック部３６の直径にほぼ等しい。これらの２つの端部３５Ａ、３５Ｂの間に、過渡領域３４の直径は、本体部３２の直径からネック部３６の直径まで減らす。このような減らしは、線形や非線形であってよい。また、階段式の減らしであってもよい。
【００１７】
細長いレンズ３０のヘッド部３８は、ほぼ長円形を有し、少なくとも２つの異なる寸法を有する。図２Ｂに示すように、ヘッド部３８はほぼ卵形を有し、比較的に大きい寸法ＡＬと比較的に小さい寸法ＢＬを有してよい。ヘッド部３８の寸法ＡＬは、本体部３２の直径とは同じ或いは異なる。類似的に、ヘッド部３８の寸法ＢＬは、ネック部３６の直径とは同じ或いは異なる。下記図３Ａ〜図３Ｃに示すように、これらの異なる寸法で、細長いレンズ３０を適切な位置に設置してロックしてよい。
【００１８】
図３Ａに示すように、カバー１６における複数の孔１８の少なくとも１つの孔（第１孔）１８は長円形を有する。この孔１８の長円形は、細長いレンズ３０のヘッド部３８の長円形にほぼ対応する。即ち、孔１８は比較的に大きい寸法ＡＡと比較的に小さい寸法ＢＡを有し、寸法ＡＡ、ＢＡは、それぞれ寸法ＡＬ、ＢＬより大きい。図３Ｂに示すように、組立期間に、ヘッド部３８の寸法ＡＬと孔１８の寸法ＡＡが位置合わせになる。従って、ヘッド部３８は孔１８を通れる。
【００１９】
細長いレンズ３０を適切な位置に設置してロックするために、カバー１６は細長いレンズ３０に対して回動できる。例えば、図３Ｃに示すように、カバー１６が９０゜回動できる。その結果は、ヘッド部３８の寸法ＡＬと孔１８の寸法ＢＡが位置合わせになる。寸法ＡＬは寸法ＢＡより大きいので、ヘッド部３８は孔１８を通して戻ることができない。なお、過渡領域３４の少なくとも一部の寸法を寸法ＢＡより大きくなるように配置されることで、細長いレンズ３０が孔１８を通して更に移動することを防げる。一部の実施において、寸法ＡＬは約３ｍｍと約５ｍｍの間になって、或いは約４．２ｍｍになり、寸法ＢＬは約２ｍｍと約４ｍｍの間になって、或いは約３ｍｍになる。一部の実施において、寸法ＡＬが寸法ＢＬに対する比率は、約４．２：３になる。
【００２０】
図４Ａ〜図４Ｃには、ケース１２の第２端１４Ｂから見る場合、細長いレンズ３０をケース１２に整合することを更に詳しく説明する。まず、図４Ａに示すように、カバー１６はまだケース１２に付着しない。レンズ装着孔２０Ａと２０Ｂを通るように、細長いレンズ３０をケース１２に挿入する。図４Ｂに示すように、レンズ装着孔２０Ｃも通るように、細長いレンズ３０をケース１２に更に挿入すると共に、カバー１６をヘッド部３８に対して第１方向に位置決める。カバー１６をこの第１方向に位置決めると、ヘッド部３８の大きい寸法と孔１８の大きい寸法が位置合わせになる。図３Ｂの配置と類似するので、ヘッド部３８は孔１８を通れる。
【００２１】
一部の実施において、まず細長いレンズ３０をレンズ装着孔２０Ａと２０Ｂを通して挿入する。そして、カバー１６をケース１２の近隣に位置決めして、細長いレンズ３０を孔１８に挿入する。他の実施において、初期にカバー１６をケース１２の近隣に位置決めして、後ほど細長いレンズ３０をレンズ装着孔２０Ａ、２０Ｂ及び穴１８を通して挿入する。
【００２２】
図４Ａにも、ケース１２における締付部材用孔を通して挿入する締付部材２２Ａ、２２Ｂ、２２Ｃを示す。図４Ｂには、締付部材２２Ａ、２２Ｂを示す。カバー１６は締付部材２２Ｃの前方に位置決められるので、図４Ｂには締付部材２２Ｃが見えない。締付部材２２Ａ〜２２Ｃは、カバー１６をケース１２に固定するために、ケース１２における締付部材用孔及びそれと対応するカバー１６における締付部材用孔を通すように配置される。いかなる数の締付部材を使用できる。例えば、ケース１２は正方形や長方形の横断面を有する場合、ケース１２はケース１２に定義される３つの締付部材用孔を含める。細長いレンズ３０がケース１２に結合される場合、細長いレンズ３０のヘッド部３８はケース１２の４つ目のコーナーの近隣に位置することができる。この実施において、カバー１６は、ケース１２における締付部材用孔に揃えるように、対応する３つの締付部材用孔を有する。そして、締付部材２２Ａ〜２２Ｃは、ケース１２とカバー１６における締付部材用孔を通して挿入することができる。他の実施には、いかなる数の締付部材と締付部材用孔を使用できる。
【００２３】
他の実施において、ケース１２は、締付部材２２Ａ〜２２Ｃと締付部材用孔の代わりに、ケース１２から伸びるバンプあるいはケース１２に付着するバンプを含んでもよい。バンプは、細長いレンズ３０のヘッド部３８が孔１８を通して伸びる方向と同じ方向に沿って、ケース１２から伸びてもよい。カバー１６に定義される対応する凹部や軸（図示せず）に合わせることで、バンプはカバー１６をケース１２に固定することができる。
【００２４】
図４Ｃに示すように、細長いレンズ３０をケース１２と孔１８を通して挿入すると、カバー１６がヘッド部３８に対して約９０゜回動されて第２方向になる。この方向に、ヘッド部３８の大きい寸法と孔１８の小さい寸法が位置合わせになる。このため、細長いレンズ３０が孔１８を通して戻ることはできない。図４Ｃのカバー１６の第２方向は、図３Ｃのカバー１６の方向と同じである。従って、細長いレンズ３０が適切な位置に設置してロックされ、且つヘッド部３８が孔１８の外に伸びることができる。
【００２５】
カバー１６を第２方向に回動した後、カバー１６をケース１２に固定するように、締付部材２２Ａ〜２２Ｃがケース１２とカバー１６における孔を通して挿入することができる。従って、ファンモジュール１０と細長いレンズ３０を組み立てると、締付部材２２Ａ〜２２Ｃはカバー１６がケース１２に対して回動することを防ぐことに寄与する。他の実施において、カバー１６を適切な位置に設置するように、ケース１２から伸びるバンプをカバー１６における対応する凹部や軸の中に押し込む。カバー１６をケース１２に固定すると、ファンモジュール１０をコンピュータ装置に取付けることができる。
【００２６】
他の形状の細長いレンズ３０とカバー１６を考慮する。ヘッド部３８が１つの比較的に大きい寸法と１つの比較的に小さい寸法を有すれば、ヘッド部３８は大体的にいかなる長円形であってもよい。例えば、ヘッド部３８は菱形と、楕円形と、長方形と、直線形と、三角形と、卵形等を有することができる。ヘッド部３８の形状は、例えば半菱形や半楕円形のような多種類の形状の組み合わせでもよい。類似的に、孔が（ｉ）ヘッド部３８の２つの寸法より大きい１つの大きい寸法と、（ｉｉ）ヘッド部３８の比較的に大きい寸法より小さい且つヘッド部３８の比較的に小さい寸法より大きい１つの小さい寸法を有すれば、カバー１６における孔はいかなる形状であってもよい。
【００２７】
一部の実施において、カバー１６における孔の形状は、ヘッド部３８の形状に対応しなくてもよい。例えば、カバー１６における孔は長方形を有し、ヘッド部３８は卵形を有する。ヘッド部３８と孔の寸法は本明細書で討論する関係を満たせば、ヘッド部３８とカバー１６の相対的な位置合わせにより、細長いレンズ３０を適切な位置に設置してロックする。なお、カバー１６における孔の全部は、前記討論のような設計をしなくてもよい。もっと明確に説明すると、操作期間で細長いレンズ３０のヘッド部３８が通るカバーにおける孔は、必要寸法を有する単一の孔であればよい、即ち細長いレンズ３０のヘッド部３８が通らない他の孔は、いかなる形状や配置を有してもよい。
【００２８】
細長いレンズ３０は、本体部３２と、過渡領域３４と、ネック部３６と、ヘッド部３８の間に、相対的に異なる寸法を有してもよい。例えば、本体部３２と、過渡領域３４と、ネック部３６との直径は、ケース１２の寸法、レンズ装着孔、あるいは本明細書に討論されないケース１２又はカバー１６の他の構造部によって決められる。一般的に、本体部３２と、過渡領域３４と、ネック部３６は、いかなる適切な直径を有し、細長いレンズ３０のこれらの部分は、ヘッド部３８が選択的にカバー１６における複数の孔の１つを通ることを邪魔しなければよい。なお、本体部３２と、過渡領域３４と、ネック部３６は、大体的にいかなる希望する形状であって、円形ではなくてもよい。
【００２９】
一部の実施において、本体部３２の直径は孔の比較的に小さい直径より大きい。従って、この実施において、本体部３２が孔を通ることを防げる。他の実施において、本体部３２の直径は孔の比較的に小さい直径より小さい又は等しい。類似的に、一部の実施において、ネック部３６の直径は孔の比較的に小さい直径より小さい又は等しい。従って、ネック部３６が孔を通ることが可能である。他の実施において、ネック部３６の直径は孔の寸法より大きい。なお、一部の実施において、レンズは長細いものではない。これらの実施において、レンズが有する長さは、基本的にレンズの直径より大きくない。
【００３０】
一部の実施において、レンズの全長は約１００ｍｍと約１５０ｍｍの間になって、約１２０ｍｍと約１４０ｍｍの間になって、約１３５ｍｍと約１４０ｍｍの間になって、或いは約１３８ｍｍになる。回り止め部３１と境界（ネック部３６とヘッド部３８の間）の間の距離は、約１００ｍｍと約１５０ｍｍの間になる。回り止め部３１の軸方向にある厚さは、約５ｍｍより小さい、約３ｍｍより小さい、或いは約１ｍｍより小さい。
【００３１】
図５Ａ〜図５Ｄには、ケース１２の第１端１４Ａから見る場合、細長いレンズ３０をケース１２に整合することを更に詳しく説明する。まず、図５Ａに示すように、細長いレンズ３０をレンズ装着孔２０Ａと２０Ｂを通るようにケース１２に挿入する。図５Ｂに示すように、ヘッド部３８が第２端１４Ｂを超えるように伸びて、細長いレンズ３０をレンズ装着孔２０Ｃを通るようにケース１２に更に挿入する。
【００３２】
図５Ｃに示すように、細長いレンズ３０を完全にケース１２の中に挿入すると、回り止め部３１の径方向に伸びる突起３３は、レンズ装着孔２０Ａの上方がケース１２の中に定義する溝内に位置決められる。これで。細長いレンズ３０がケース１２に対してレンズ装着孔２０Ａ、２０Ｂ、２０Ｃ内で回動することが防げる。一部の実施において、回り止め部３１は、長いレンズ３０がレンズ装着孔２０Ａ、２０Ｂ、２０Ｃを更に通ることも防げる。最後、図５Ｄに示すように、例えばファンコネクター３７やケーブルカバー３９のような他の部材はケース１２に結合できる。細長いレンズ３０のレンズ装着孔２０Ａからケース１２の第１端１４Ａへ伸びる部分は、ケース１２の第１端１４Ａで細長いレンズ３０を適切な位置に設置してロックするように、これらの他の部材の中に挿入することができる。ファンコネクター３７はファンの操作の制御に用いられて、光を発生させて、細長いレンズ３０を使って光の転送を行える。ケーブルカバー３９を使って、ファンの操作を行えるように、いかなる必要なケーブルやコードをルーティングできる。
【００３３】
図６Ａ〜図６Ｃには、ケース１２とカバー１６の組み立てを補助できる例示的の組立治具４０を示す。組立治具４０は、固定用本体を有し、一般的に底板４２と、第１壁４４と、第２壁４６と、第３壁４９を含む。第１壁４４と、第２壁４６と、第３壁４９は、底板４２の縁辺に結合し、且つ約９０゜の角度をなすように上へ伸びる。第２壁４６と、第３壁４９は互いにほぼ平行する。第１壁４４は、第２壁４６と第３壁４９に対して、共に約９０゜の角度をなすように位置決められる。組立治具４０は、底板４２から伸びる第１の位置合わせガイド部材４１を更に含む。第１の位置合わせガイド部材４１は、第２壁４６と第３壁４９にほぼ平行する。底板４２と、第１の位置合わせガイド部材４１と、第２壁４６は通路を定義し、組立期間にファンモジュール１０を通路に置くことができる。
【００３４】
組立治具４０も、第３壁４９から第２壁４６へ伸びる第２の位置合わせガイド部材４３を含む。第２の位置合わせガイド部材４３は第１壁４４からある距離を空けて配置され、この距離はカバー１６の厚さにほぼ等しい。第１の位置合わせガイド部材４１も第１壁４４からある距離を空けて配置され、この距離はカバー１６の厚さにほぼ等しい。底板４２と、第１壁４４と、第３壁４９と、第１の位置合わせガイド部材４１と、第２の位置合わせガイド部材４３で１つの空間を定義し、組立期間にカバー１６をこの空間に置くことができる。カバー１６を組立治具４０内に置く場合、カバー１６の少なくとも一部が第１壁４４とファンモジュール１０の間に位置するように、カバー１６は第３壁４９から距離を取って伸びる。従って、第１壁４４と距離を取るように、ファンモジュール１０が第１壁４４と揃えて置くことを防ぐ。
【００３５】
組立治具４０も、他の位置合わせガイド部材を含める。例えば、組立治具４０は、組み立てる工程でカバー１６の位置合わせの補助のために、第１壁４４から伸びる１つ又は複数の突起５０Ａ、５０Ｂを含める。図６Ａには、ファンモジュール１０とカバー１６の両者が共に組立治具４０に入れる場合のファンモジュール１０とカバー１６の平面図を示す。
【００３６】
組立治具４０も治具開口を含める。治具開口は例えばアーク状の迂回する形状を有することができる。図６Ｂに示すように、治具開口は第１壁４４に定義される細長い孔４５を含む。細長い孔４５は第１端４７Ａと第２端４７Ｂを有する。カバー１６に結合される突起４８が細長い孔４５を通して挿入できるように、細長い孔４５の寸法を設計する。突起４８は取り外し可能にカバー１６に結合され、あるいは永久的にカバー１６に結合される。組み立てる工程を始めるために、カバー１６を第１壁４４に靠れる方向に置く。この方向に、突起４８は細長い孔４５の第１端４７Ａで、細長い孔４５を通して伸びる。突起４８は細長い孔４５を通して、第１壁４４のファンモジュール１０に対向する側まで延びる。図６Ｂは、突起４８が細長い孔４５を通して伸びることを説明するための組立治具４０の斜視図を示す。図６Ｃには、前方で部材を相対位置より明確に示すために、組立治具４０を透明に示す。
【００３７】
図７Ａ〜図７Ｄには、組立治具４０を使って、ファンモジュール１０とカバー１６を組み立てる工程を示す。まず、図７Ａに示すように、カバー１６を組立治具４０の中に置く。初めてカバー１６を組立治具４０の中に置く場合、カバー１６を第１方向に位置決める。第１方向は、ファンモジュール１０がケース１２に結合される場合のカバー１６の最終位置に対して９０゜の角度をなす。細長いレンズ３０がケース１２に整合した後（図４Ａ〜図４Ｃ、及び図５Ａ〜図５Ｄに示すように）、図７Ｂに示す組立治具４０に、ケース１２を置く。整合される細長いレンズ３０を有するケース１２を、組立治具４０の第２壁４６と第１の位置合わせガイド部材４１の間に定義する空間に置く。
【００３８】
ケース１２を組立治具４０の中に置く場合、細長いレンズ３０のヘッド部３８が第２端１４Ｂを超えるように伸びる。細長いレンズ３０のヘッド部３８とカバー１６における孔が位置合わせになるように組立治具４０の寸法を設計する。カバー１６を第１方向に位置決めされるので、細長いレンズ３０のヘッド部３８の大きい寸法は孔１８の大きい寸法と位置合わせになる。従って、細長いレンズ３０のヘッド部３８はカバーにおける孔１８の大きい寸法を通れる。カバー１６を組立治具４０の中に置いた後、ケース１２を組立治具４０の中に置くことによって、細長いレンズ３０のヘッド部３８はカバー１６における孔を通れる。
【００３９】
図７Ｃに示すように、突起４８（図６Ａ〜図６Ｃに示す）を細長い孔４５の第１端４７Ａから第２端４７Ｂまでの迂回経路に沿って移動させることによって、カバー１６がケース１２に対して回動される。この移動により、カバー１６が細長いレンズ３０とほぼ同軸に回動される。図７Ｄに示すように、カバー１６はケース１２に位置合わせするまで回動される。図７Ｄでは、カバー１６が第２方向に位置決められる。第２方向では、細長いレンズ３０のヘッド部３８の大きい寸法は孔１８の小さい寸法と位置合わせになる。この位置合わせによって、細長いレンズ３０はカバー１６における孔を通して戻ることができない。
【００４０】
突起４８の移動は、更にケース１２における締付部材用孔をカバー１６における締付部材用孔に位置合わせするようにする。第２方向になると、カバー１６をケース１２に固定して、カバー１６の細長いレンズ３０のヘッド部に対する回動をロックするように、締付部材はケース１２とカバー１６における締付部材用孔を通して挿入することができる。図７Ｄには、２つの締付部材２２Ａ、２２Ｃだけを示すが、いかなる数の締付部材を使ってカバー１６をケース１２に固定してもよい。
【００４１】
本文に用いる用語は、特定の実施方法を記述するためのものであるが、本発明を限定するものではない。本文に使用されるように、上下文で特に明示されない限り、単数形態の「一」、「１つ」及び「前記」は、複数形態を更に含む。また、詳しい記述及び／又は特許請求の範囲における「含む」、「備える」、「有する」、「ある」、「付き」という用語又はその変わった用語は、「含む」という用語に類似する意味を含む。
【００４２】
特に定義されない限り、本文に用いられる全ての用語（技術及び科学用語を含む）は、当業者が一般的に理解するものと同じ意味を有する。また、例えば、常用辞書で定義された用語は、関連分野の背景のと一致である意味を有すると解釈されるべきであり、本文で明確に定義されない限り、理想化又は過度に形式的な形態で解釈されることはない。
【００４３】
上記で本発明の各種の実施方法を記述したが、理解すべきなのは、それらは実施例として表されるだけであり制限ではない。本開示の精神や範囲から逸脱せずに、本文の開示内容に基づいて開示された実施方法に数多くの変更を加えてよい。そのため、本発明の広さ及び範囲は、如何なる上記実施方法によっても制限されない。明確に言えば、本発明の範囲は、添付された請求項及びその等価物により定義されるべきである。
【００４４】
既に１つ又は複数の実施について、本発明を説明及び記述したが、本明細書や添付図面を読んで理解した後で、当業者であれば、等效の変更や修正を想到することができる。また、本開示の特定の特徴が既に幾つの実施の１つについて開示されたが、前記特徴は他の実施の１つ又は複数の他の特徴に組み合わせてもよく、例えば、如何なる一定の又は特定の適用に対しても所望され又は有利である可能性がある。
【符号の説明】
【００４５】
１０：ファンモジュール
１２：ケース
１４Ａ：第１端
１４Ｂ：第２端
１６：カバー
１８：孔
２０Ａ、２０Ｂ、２０Ｃ：レンズ装着孔
２２Ａ、２２Ｂ、２２Ｃ：締付部材
３０：細長いレンズ
３１：回り止め部
３２：本体部
３３：突起
３４：過渡領域
３５Ａ：第１端
３５Ｂ：第２端
３６：ネック部
３７：ファンコネクター
３８：ヘッド部
３９：ケーブルカバー
４０：組立治具
４１：第１の位置合わせガイド部材
４２：底板
４３：第２の位置合わせガイド部材
４４：第１壁
４５：孔
４６：第２壁
４７Ａ：第１端
４７Ｂ：第２端
４８：突起
４９：第３壁
５０Ａ、５０Ｂ：突起
ＡＡ、ＡＬ、ＢＡ、ＢＬ：寸法
【図１Ａ】
2020052387.tif 000003
【図１Ｂ】
2020052387.tif 000004
【図２Ａ】
2020052387.tif 000005
【図２Ｂ】
2020052387.tif 000006
【図３Ａ】
2020052387.tif 000007
【図３Ｂ】
2020052387.tif 000008
【図３Ｃ】
2020052387.tif 000009
【図４Ａ】
2020052387.tif 000010
【図４Ｂ】
2020052387.tif 000011
【図４Ｃ】
2020052387.tif 000012
【図５Ａ】
2020052387.tif 000013
【図５Ｂ】
2020052387.tif 000014
【図５Ｃ】
2020052387.tif 000015
【図５Ｄ】
2020052387.tif 000016
【図６Ａ】
2020052387.tif 000017
【図６Ｂ】
2020052387.tif 000018
【図６Ｃ】
2020052387.tif 000019
【図７Ａ】
2020052387.tif 000020
【図７Ｂ】
2020052387.tif 000021
【図７Ｃ】
2020052387.tif 000022
【図７Ｄ】
2020052387.tif 000023